(57)【要約】      （修正有）【課題】刃先に対して斜めに柄を回転させた状態に固定できる連結構造を有する鍬において、土を耕しても連結構造部分が地面に触れないようにする鍬を提供する。【解決手段】鍬の刃床１上面に偏平な円柱体からなり、内側に一以上の突起又は窪みが設けられた凹部１２を上面に有するとともに、外周に雄ねじ１１が形成された刃床側係合部１０を設け、鍬の柄２部先端に前記凹部に係合する凸部であって、前記刃床面に略垂直な回転軸回りに関して二以上の回転位置のそれぞれにおいて、前記突起に嵌る凹み又は前記窪みに嵌る出っ張りが外面に設けられた凸部を有する柄側係合部２０を設け、前記刃側係合部に係合する雌ねじ３１が内周に形成された偏平な円筒体であって、上面に前記柄部を通す開口を有するとともに、前記柄側係合部を上方から押し付ける張り出し部３２が形成された押さえ部３０により刃床側係合部と柄側係合部を固定する。【選択図】図３
0003173616.tif 000002
【実用新案登録請求の範囲】
【請求項１】
刃床上面に設けられる偏平な円柱体からなり、内側に一以上の突起又は窪みが設けられた凹部を上面に有するとともに、外周に雄ねじが形成された刃側係合部と、
柄部先端に設けられる前記凹部に係合する凸部であって、前記刃床面に略垂直な回転軸回りに関して二以上の回転位置のそれぞれにおいて、前記突起に嵌る凹み又は前記窪みに嵌る出っ張りが外面に設けられた凸部を有する柄側係合部と、
前記刃側係合部に係合する雌ねじが内周に形成された偏平な円筒体であって、上面に前記柄部を通す開口を有するとともに、前記柄側係合部を上方から押し付ける張り出し部が形成された押さえ部と
を有する鍬。
【請求項２】
前記凸部は下方に向かって細くなる傘歯車状に形成されるとともに、前記凹部は当該凸部が嵌る形状に形成されるものである請求項１に記載の鍬。
【請求項３】
前記押さえ部が、前記柄側係合部を押さえつけた状態において、前記押さえ部と前記柄側係合部又は刃床上面とを、互いに連結固定する押さえ部固定部をさらに有する請求項１又は２に記載の鍬。
【考案の詳細な説明】
【技術分野】
【０００１】
本考案は刃床に略垂直な回転軸回りに関する柄の回転位置を変更することがきる鍬に関する。
【背景技術】
【０００２】
従来、鍬の柄は刃先に直角な方向に真っ直ぐ傾斜して設けられている。一方、鍬を地面に振り下ろした状態から鍬を大きく引く場合、柄は側方に沿って斜めに引かれることになり、刃先も斜めに傾いた状態で地面を耕すことになってしまう。
これに対して、下記特許文献には柄と刃床との取り付け角度を自在に変えることができる草刈鎌が示されており、このような構造を鍬に採用すれば、柄を刃先に直角な方向からやや傾いた位置に適当に傾斜させることで、柄が斜めに引かれても刃先を使用者の方へ真っ直ぐに向いた状態を保持するようにすることが可能である。
【先行技術文献】
【特許文献】
【０００３】
【特許文献１】特開2011-78369号公報
【考案の概要】
【考案が解決しようとする課題】
【０００４】
ところで、上記特許文献に記載の考案は、刃床と柄とを刃床の下面からボルトにより固定する構造を有している。しかし、刃床の下面は作業中に頻繁に地面に当たる部分であり、ネジ溝に土が付いてボルトが回りにくくなったり、作業中にボルトヘッドに衝撃が加わる結果としてボルトが緩くなったりする恐れがある。
本考案は、このような問題に鑑みて、刃先に対して斜めに柄を回転させた状態に固定できる連結構造を有する鍬において、土を耕しても連結構造部分が地面に触れないようにすることを課題とする。
【課題を解決するための手段】
【０００５】
上記課題を解決するために、本考案は次のような構成を有する。
請求項１に記載の考案は、刃床上面に設けられる偏平な円柱体からなり、内側に一以上の突起又は窪みが設けられた凹部を上面に有するとともに、外周に雄ねじが形成された刃側係合部と、柄部先端に設けられる前記凹部に係合する凸部であって、前記刃床面に略垂直な回転軸回りに関して二以上の回転位置のそれぞれにおいて、前記突起に嵌る凹み又は前記窪みに嵌る出っ張りが外面に設けられた凸部を有する柄側係合部と、前記刃側係合部に係合する雌ねじが内周に形成された偏平な円筒体であって、上面に前記柄部を通す開口を有するとともに、前記柄側係合部を上方から押し付ける張り出し部が形成された押さえ部とを有する鍬である。
請求項２に記載の考案は、前記鍬において、前記凸部は下方に向かって細くなる傘歯車状に形成されるとともに、前記凹部は当該凸部が嵌る形状に形成されるものである。
請求項３に記載の考案は、前記鍬において、前記押さえ部が前記柄側係合部を押さえつけた状態において、前記押さえ部と、前記刃床側係合部又は刃床上面とを、互いに連結固定する押さえ部固定部をさらに有するものである。
【考案の効果】
【０００６】
請求項１に記載の考案は、刃床側係合部と柄側係合部とを所望の回転位置で係合させた後に、押さえ部の雌ねじを刃床側係合部の雄ねじに係合させて締め付けることで、刃床側係合部と柄側係合部とを係合状態で固定することができ、これにより刃床に柄を所望の回転位置で固定することができる。そして、刃床の上面に刃床と柄との係合部が設けられることで、作業時に係合部分が地面に触れることがないので、係合部に土が触れることが少なく、また、地面に当たって係合部に衝撃が直接加わることがない。
請求項２に記載の考案は、柄側係合部の凸部を下方に向かって細くなる傘歯車状とすることで、多数の回転位置で刃床側係合部の凹部に係合させることができ、下方に向かって細くなる形状により上方から凹部に挿入しやすい。
請求項３に記載の考案は、押さえ部が柄側係合部を押さえつけた状態で、押さえ部固定部により押さえ部が柄側係合部又は刃床上面に連結固定されるので、押さえ部と刃床側係合部とのねじによる締結が緩むことを防止することができる。
【図面の簡単な説明】
【０００７】
【図１】実施形態に係る鍬の斜視図である。
【図２】実施形態に係る鍬の部分拡大斜視図である。
【図３】実施形態に係る鍬の部分分解拡大斜視図である。
【図４】（ａ）は押さえ部を固定した状態を示す実施形態に係る鍬の部分縦断面図であり、（ｂ）は押さえ部の固定を外した状態を示す実施形態に係る鍬の部分縦断面図である。
【図５】（ａ）は柄を真っ直ぐに固定した状態を示す実施形態に係る鍬の平面図であり、（ｂ）は鍬を左側に回転させて固定した状態を示す実施形態に係る鍬の平面図であり、（ｃ）は鍬を右側に回転させて固定した状態を示す実施形態に係る鍬の平面図である。
【考案を実施するための形態】
【０００８】
以下、本考案の実施の形態について、図面を参照しながら説明する。
図１に本実施形態に係る鍬Xの斜視図を示す。鍬Ｘは刃床１、柄２からなる。刃床１と柄２とは連結構造３により連結されている。図２に連結構造３部分近傍の拡大斜視図を示し、図３に連結構造３部分の分解斜視図を示し、図４（ａ）に連結構造３部分の縦断面図を示す。なお、図４（ａ）において、便宜上後述する板体３４、丸棒３５、３６、薄板ばね３７部分は断面として表していない。連結構造３は、刃床側係合部１０、柄側係合部２０、押さえ部３０とから構成される。
柄側係合部２０は、下方に突出する凸体であり、全体として下方向かって細くなる傘歯車状の形状を有する。柄側係合部２０の上面には柄２を嵌めて固定する円筒体からなるヒツ２１が斜めに固定されている。また、柄側係合部２０はヒツ２１に連続するように円筒状の穴が内部に設けられている。
刃床側係合部１０は、刃床１上面に溶接固定される偏平な円柱体であり、外周面には雄ねじ１１が形成されている。刃床側係合部１０の上面には柄側係合部２０にほぼ合致する空間を形成する凹部１２が設けられている。
【０００９】
押さえ部３０は、刃床側係合部１０の雄ねじ１１に係合する雌ねじ３１が内周に設けられた偏平な円筒体であり、中央にヒツ２１が通る大きさの穴が設けられた円板体からなる張り出し部３２が上面に設けられている。また押さえ部３０の側面には平行な２枚の板体３３、３４が固定される。板体３３、３４には貫通孔３３ａ、３４ａが設けられ、図４（ａ）に示すように各貫通孔に丸棒３５、３６が通される。そして、各丸棒３５、３６が向かい合う各面は、Ｕ字状に形成された薄板ばね３７の両端部に固定されている。また、丸棒３５の上部側面には貫通孔が設けられるとともに、板体３３上面で当該貫通孔に割りピン３５ａが通されることで丸棒３５は下方に移動しないように規制されている。さらに、板体３４には側面から貫通孔３４ａに至る切り込み３４ｂが形成され、図４（ａ）に示す状態において、丸棒３６の当該切り込み３４ｂに並ぶ位置にピン３６ａが設けられている。そして、押さえ部３０が十分締まった位置にある状態における丸棒３６の真下位置には、丸棒３６が嵌る穴が設けられた固定ブロック４０が刃床１上面に溶接固定されている。図４（ａ）に示すように丸棒３６が固定ブロック４０の穴に嵌った状態になると、押さえ部３０は回転できなくなるので、押さえ部３０の雌ねじ３１と刃床側係合部１０の雄ねじ１１との係合が緩まない。一方、薄板ばね３７をつぶして丸棒３６を上方に上げ、丸棒３６のピン３６ａを切り込み３４ｂから板体３４の上部に位置づけ、この状態で図４（ａ）の薄板ばね３７を矢印Aの方向に回転させると、丸棒３６とこれに固定されるピン３６ａも回転し、ピン３６ａが板体３４の上面に引っ掛かる。これにより丸棒３６は図４（ｂ）に示すように上がった状態に保持され、丸棒３６は固定ブロック４０の穴からを抜き出されることになるので、押さえ部３０は刃床側係合部１０に対して自由に回転できるようになる。板体３３、３４、丸棒３５、３６、薄板ばね３７、固定ブロック４０は、押さえ部３０が前記柄側係合部２０を押さえつけた状態において、押さえ部３０と刃床１上面と互いに連結固定する押さえ部固定部を構成する。
【００１０】
次に、以上のような構成を有する鍬Ｘの使用方法について説明する。鍬Ｘは収納に際しては、押さえ部３０を外して刃床側係合部１０と柄側係合部２０とを分離することで、刃床１０と柄２０を分解して収納することができる。そして、使用に際しては、刃床側係合部１０の凹部１２に柄側係合部２０の凸体を嵌め込む、この際、柄側係合部２０を形成する凸体は複数の回転位置に関して刃床側係合部１０の凹部１２に嵌め込むことができるので、使用者は使用目的に応じて、柄２が刃床１に対して所望の角度を形成するようにする。その後、押さえ部３０を図４（ｂ）のように丸棒３６を上げた状態として、雌ねじ３１を刃床側係合部１０の雄ねじ１１に係合させて押さえ部３０を締めて、押さえ部３０の張り出し部３１の下面で柄側係合部２０の上面を押さえつけることで、柄側係合部２０の凸体が刃床側係合部１０の凹部１２に係合した状態で抜けないようにする。その後、薄板ばね３７を回転させてピン３６を切り込み３４ｂの位置に合わせて丸棒３６を下げ、丸棒３６が固定ブロック４０の穴に嵌った状態で図４（ａ）のような状態となり、連結構造３による刃床１と柄２との連結が完了するので、この状態で使用者は作業を行なう。
【００１１】
以上のような構成により、本実施形態に係る鍬Ｘは、図５（ａ）に示すように従来のような柄２が刃先に対して真っ直ぐに傾斜するように固定したり、図５（ｂ）に示すように柄２が刃先に対して左側に傾いて傾斜するように固定したり、図５（ｃ）に示すように柄２が刃先に対して右側に傾いて傾斜するように固定したりすることが可能となる。そして、連結構造３が、刃床１の上面のみに存し、鍬Ｘによって土を耕したりする場合に連結構造３部分に直接地面が当たることがないので、連結構造３が破損しにくく、また、土がねじ内や係合部に入り難いので、組み立て時や分解時に土が詰まる不都合が起こることを抑制することができる。
【００１２】
なお、上記実施形態では、柄側係合部２０を傘歯車状として、刃床側係合部１０の凹部をこれに合致する空間としたが、互いに嵌り合う形状は、一方側に突起又は窪みが形成され、他方側にこれに対して２以上の回転位置で嵌る凹み又は出っ張りが形成されることで、両者が係合した状態で互いに回転不能とできればよいので、種々の変更が可能である。
また、上記実施形態では押さえ部３０と刃床１の上面とを連結することで押さえ部３０を回転しないようにしたが、例えば、張り出し部３１の刃床側係合部２０上部に貫通孔を設けるとともに、押さえ部３０が十分に締まった状態における当該貫通孔の真下に存する刃床側係合部２０の位置にねじ穴を設け、当該貫通孔とねじ穴とをボルトで連結するといったように、押さえ部３０と刃床側係合部２０とを連結することで、押さえ部３０を回転しないようにすることもできる。
さらに、上記実施形態では、柄２の断面が円形のものを示したが、柄側係合部２のヒツ２１の形状を長方形状とし、長方形断面の柄２用いてもよいことはいうまでもない。
また、上記実施形態では、刃床の形状を平鍬の形状としているが、備中鍬のように刃先を分岐させる等、刃床の形状は適宜変更が可能である。
【符号の説明】
【００１３】
Ｘ  鍬
１  刃床
２  柄
３  連結構造
１０  刃床側係合部
１１  雄ねじ
１２  凹部
２０  柄側係合部
２１  ヒツ
３０  押さえ部
３１  雌ねじ
３２  張り出し部
３３、３４  板体
３５、３６  丸棒
３７  薄板ばね
４０  固定ブロック
【図１】
0003173616.tif 000003
【図２】
0003173616.tif 000004
【図３】
0003173616.tif 000005
【図４】
0003173616.tif 000006
【図５】
0003173616.tif 000007